(57)【特許請求の範囲】
【請求項１】
物品を収納する前面開口の自動販売機本体と、自動販売機本体の前面開口を開閉する外扉とを備えた自動販売機において、
自動販売機本体と外扉とをロックする電子制御式のロック機構と、
正当な鍵が挿入されると回転可能となるキーシリンダと、
キーシリンダが所定角度以上回転したことを検出する回転検出手段と、
キーシリンダが所定位置に付設されていることを検出するキーシリンダ検出手段と、
キーシリンダ検出手段がキーシリンダを検出し且つ回転検出手段がキーシリンダの所定角度以上の回転を検出すると、ロックを解除するようロック機構を制御する制御装置とを備えた
ことを特徴とする自動販売機。
【請求項２】
制御装置は、ロック解除制御を実施する際には、投入金額等を表示する表示器に所定のメッセージを表示する
ことを特徴とする請求項１記載の自動販売機。
【請求項３】
キーシリンダ検出手段の検出結果を記憶する記憶手段を備え、
制御装置は、記憶手段にキーシリンダ非検出の履歴がある場合には、キーシリンダ検出手段がキーシリンダを検出し且つ回転検出手段がキーシリンダの所定角度以上の回転を検出した場合であってもロック解除は実施しない
ことを特徴とする請求項１又は２何れか１項記載の自動販売機。
【請求項４】
制御装置は、記憶手段にキーシリンダ非検出の履歴があり、キーシリンダ検出手段がキーシリンダを検出し且つ回転検出手段がキーシリンダの所定角度以上の回転を検出すると、投入金額等を表示する表示器に所定のメッセージを表示する
ことを特徴とする請求項３記載の自動販売機。
【発明の詳細な説明】
【技術分野】
【０００１】
本発明は、収納物品を販売する自動販売機に関し、特に自動販売機本体を開閉する外扉のロック機構の技術に関する。
【背景技術】
【０００２】
従来、この種の自動販売機は、物品を収納する前面開口の自動販売機本体と、自動販売機本体の前面開口を開閉する外扉と、自動販売機本体と外扉とをロックするハンドルロック式と呼ばれるロック機構を備えたものが知られている。このロック機構は、外扉に設けたハンドルの回動操作により外扉をロック又はロック解除する。また、このハンドルは通常時には外扉に埋め込まれた状態となっている。したがって、この状態ではハンドルの操作が不可能となっている。ハンドルにはキーシリンダが組み込まれており、このキーシリンダに正当なキーを挿入・回転することによりハンドルが前方に引き出された状態となる。これにより、ハンドル操作が可能となる。
【０００３】
このような自動販売機では、キーシリンダを破壊すればハンドル操作が可能となってしまうので、従来より種々の防犯対策が提案されている。例えば、前記ロック機構に加えて別途ロック機構を設けた二重施錠方式が提案されている。また特許文献１では、前記ロック機構とは別に電子制御式の第２のロック機構を設ける技術が提案されている。
【特許文献１】特開平８−２１２４４３号公報
【発明の開示】
【発明が解決しようとする課題】
【０００４】
しかし、前記二重施錠方式は、悪意のあるものに対しては視覚的な効果はあるものの、各ロック機構自体はそれぞれ従来のものと変わらないので、二重施錠による効果は破壊に要する時間の長短の問題であり、防犯対策としては十分でないという問題があった。また、オペレータは外扉の開放のためには２つの解錠操作を行う必要があり、煩雑な作業となるという問題があった。さらに、ロック機構を二重に設けているので、構造が複雑となりコストが高くなるという問題もあった。
【０００５】
一方、特許文献１に記載のものでは、電子制御式の第２のロック機構を、機械式のロック機構と連携させて制御することにより、操作性を低下させることなく防犯性能を向上させている。しかし、ロック機構を二重に設けているため、構造の複雑化・高コスト化という問題点については依然解消されていない。
【０００６】
本発明は、上記事情に鑑みてなされたものであり、その目的とするところは、操作性や防犯性能が良好な自動販売機を低コストで提供することにある。
【課題を解決するための手段】
【０００７】
上記目的を達成するために、本願では、物品を収納する前面開口の自動販売機本体と、自動販売機本体の前面開口を開閉する外扉とを備えた自動販売機において、自動販売機本体と外扉とをロックする電子制御式のロック機構と、正当な鍵が挿入されると回転可能となるキーシリンダと、キーシリンダが所定角度以上回転したことを検出する回転検出手段と、キーシリンダが所定位置に付設されていることを検出するキーシリンダ検出手段と、キーシリンダ検出手段がキーシリンダを検出し且つ回転検出手段がキーシリンダの所定角度以上の回転を検出すると、ロックを解除するようロック機構を制御する制御装置とを備えたことを特徴とするものを提案する。
【０００８】
本発明によれば、キーシリンダが所定位置に付設されており且つキーシリンダが正当な鍵により回転した場合にのみ、電子制御式のロック機構がロック解除動作を行うので、キーシリンダが破壊等により取り外されてもロック解除を防止できる。また、ロック機構を多重に設けたものと比較すると解錠操作が良好であるとともに、簡素な構成となるので低コスト化を図れる。
【０００９】
この自動販売機では正当な鍵を用いてキーシリンダを回転させるだけでロック解除されるので、従来のハンドルロック式を採用した自動販売機と比較すると、実際にロックが解除されたか否かがオペレータに伝わりにくい。そこで、本願では、上記自動販売機において、制御装置は、ロック解除制御を実施する際には、投入金額等を表示する表示器に所定のメッセージを表示することを特徴とするものを提案する。これにより、オペレータはロック解除されたことを確実に認識できるので操作性が向上する。また、正当な鍵を用いてキーシリンダを回転させても前記メッセージが表示されない場合には電気系統に何らかの不具合が発生したと推測でき、メッセージは表示されるがロック解除されない場合にはロック機構に機械的な不具合が発生した推測できる。すなわち問題箇所の切り分けが容易となるので保守性に優れたものとなる。
【００１０】
さらに、本願では、上記自動販売機において、キーシリンダ検出手段の検出結果を記憶する記憶手段を備え、制御装置は、記憶手段にキーシリンダ非検出の履歴がある場合には、キーシリンダ検出手段がキーシリンダを検出し且つ回転検出手段がキーシリンダの所定角度以上の回転を検出した場合であってもロック解除は実施しないことを特徴とするものを提案する。
【００１１】
本発明によれば、１回でもキーシリンダが取り外されると、以降キーシリンダを取り付けてもロック解除が不可能となる。したがって、仮に犯罪者がキーシリンダを破壊等により取り外した後に代替のキーシリンダを取り付けたとしても、ロック解除を行うことができない。したがって、防犯性能が更に向上したものとなる。
【００１２】
なお、キーシリンダが取り外される事由としては、犯罪者等による不当なものだけでなく、例えばオペレータによる交換作業など正当なものもの挙げられる。そこで、本願では、このような自動販売機において、制御装置は、記憶手段にキーシリンダ非検出の履歴があり、キーシリンダ検出手段がキーシリンダを検出し且つ回転検出手段がキーシリンダの所定角度以上の回転を検出すると、投入金額等を表示する表示器に所定のメッセージを表示することを特徴とするものを提案する。これにより、オペレータは、ロック解除できない原因がキーシリンダの取り外しであることを認識できる。なお、このようなケースにおいてオペレータは、前記記憶手段に記憶されている履歴のクリアなど所定の対策を行えばよい。
【発明の効果】
【００１３】
以上説明したように本発明によれば、キーシリンダが所定位置に付設されており且つキーシリンダが正当な鍵により回転した場合にのみ、電子制御式のロック機構がロック解除動作を行うので、キーシリンダが破壊等により取り外されてもロック解除を防止できる。また、ロック機構を多重に設けたものと比較すると解錠操作が良好であるとともに、簡素な構成となるので低コスト化を図れる。
【発明を実施するための最良の形態】
【００１４】
本発明の一実施の形態に係る自動販売機について図面を参照して説明する。図１は自動販売機の正面図、図２は自動販売機の側面図である。
【００１５】
自動販売機１は、図１及び図２に示すように、内部に商品収納室・機械室を形成した前面開口の箱形の自動販売機本体１０と、自動販売機本体２の前面開口を開閉する外扉２０とを備えている。外扉２０の前面には、商品サンプル２１、商品選択ボタン２２、硬貨投入口２３、紙幣投入口２４、７セグメントＬＥＤなどからなり投入金銭額などを表示する表示器２５、金銭返却レバー２６、硬貨返却口２７、商品搬出口２８、把手２９が付設されている。外扉２０の内側にはキーシリンダユニット３０が付設されており、該キーシリンダユニット３０のシリンダ本体３１が外扉２０の前面に露出している。また、外扉２０の内側には、制御部（後述する）により施錠・解錠を電子制御されるロック機構４０が設けられている。このロック機構４０は、自動販売機本体１０の前面に設けたＵ字状又はコ字状の係止片１１と係合して、外扉２０の施錠・解錠を行う。
【００１６】
次に、キーシリンダユニット３０の詳細な構造について図３を参照して説明する。図３はキーシリンダユニット３０の分解斜視図である。
【００１７】
キーシリンダユニット３０は、図３に示すように、正当な鍵の挿入により回転が可能となるカム状のシリンダ本体３１と、シリンダ本体３１の前部を支持する前部支持部材３２と、シリンダ本体３１の後部を支持する後部支持部材３３と、これらを収納したケーシング３４とを備えている。
【００１８】
シリンダ本体３１の前面には回転角度規制用の凸部３１ａが形成されている。前部支持部材３２の貫通孔３２ａの内周には、シリンダ本体３１の凸部３１ａと係合する切り欠き３２ｂが形成されている。これによりシリンダ本体３１は、所定の角度範囲内で回転自在となっている。本実施の形態では、シリンダ本体３１に挿入した鍵が外扉２０の正面からみて９時の方向から１２時の方向までの９０°の範囲で回転可能となっている。
【００１９】
後部支持部材３３の上部は前方に折り曲げられ、さらに端部は下方に折り曲げられている。この後部支持部材３３の上部に形成された空間には、シリンダ本体３１の回転状態を検出するセンサである回転検出スイッチ３５が付設されている。本実施の形態では、回転検出スイッチ３５としてマイクロスイッチを用いた。シリンダ本体３１が回転すると、カム状になっているシリンダ本体３１の胴体部がレバー３５ａと当接して回転検出スイッチ３５の接点がＯＮ／ＯＦＦする。回転検出スイッチ３５は、ハーネス５１を介して後述する制御部に接続している。
【００２０】
後部支持部材３３の後方には、シリンダ本体３１が所定の位置に存在しているか否かを検出する押しボタン型のキーシリンダ検出スイッチ３６が配置されている。キーシリンダ検出スイッチ３６の押しボタン部３６ａは、後部支持部材３３の貫通孔３３ａを介してシリンダ本体３１の後端に当接する。すなわち、キーシリンダ検出スイッチ３６は、シリンダ本体３１が存在している状態で接点がＯＮとなっている。キーシリンダ検出スイッチ３６は、取付板３７を介してケーシング３４内に収納されている。キーシリンダ検出スイッチ３６は、ハーネス５２を介して後述する制御部に接続している。
【００２１】
次に、ロック機構４０の詳細な構造について図４を参照して説明する。図４はロック機構４０の構成図である。
【００２２】
ロック機構４０は、図４に示すように、上下に延びる角筒状のケーシング４１内の上部及び下部にそれぞれ自動販売機本体１０の係止片と係合するロック機構を備えている。各ロック機構は、スナッチロック４２と、該スナッチロック４２の解除ピン４２ａを駆動するためのソレノイド４３と、ソレノイド４３のフランジャ４３ａとスナッチロック４２の解除ピン４２ａとを連結するリンク４４とを備えている。各スナッチロック４２は係止部４２ｂとリンクした駆動片４２ｃが設けられている。この駆動片４２ｃは、ケーシング４１内に上下に延びるスライド板４５の上下端に設けた駆動ピン４５ａと係合している。スライド板４５は、コイルバネ４６によりケーシング４１と連結している。
【００２３】
このような構造により、各ソレノイド４３を通電するとフランジャ４３ａ及びリンク４４がソレノイド４３方向に移動し、スナッチロック４２の解除ピン４２ａが作動する。これにより、スナッチロック４２の係止部４２ｂが回動してロック解除状態となる。このときスナッチロック４２の係止部４２ｂとともに駆動片４２ｃが回動して、該駆動片４２ｃとリンクしたスライド板４５も上下に摺動する。
【００２４】
各ソレノイド４３の通電を停止すると、スライド４５に連結したコイルバネ４６によりスライド板４５が摺動復帰してスナッチロック４２の駆動片４２ｃが回動する。これにより、スナッチロック４２の係止片４２ｂも回動してロック状態が復帰する。
【００２５】
次に、本実施の形態に係る自動販売機の制御部について図５を参照して説明する。図５は自動販売機の制御系のブロック図である。なお、ここでは本発明の要旨に関する構成のみを説明するものとして、他の構成については省略した。
【００２６】
図５に示すように、制御部６０には、前記回転検出スイッチ３５、キーシリンダ検出スイッチ３６と、ソレノイド４３と、表示器２５とが接続している。回転検出スイッチ３５及びキーシリンダ検出スイッチ３６は、ＬＯＷアクティブとなるように制御部６０に接続している。すなわち、回転検出スイッチ３５が所定角度以上のシリンダ本体３１の回転を検出した状態ではＬＯＷ、検出していない状態ではＨＩＧＨとなるよう回転検出スイッチ３５は接続されている。同様に、シリンダ本体３１が所定位置に存在している状態ではＬＯＷ、存在していない状態ではＨＩＧＨとなるようキーシリンダ検出スイッチ３６は接続されている。また、制御部６０は、キーシリンダ検出スイッチ３６の検出結果の履歴を記憶するキーシリンダ検出履歴記憶部６１を備えている。
【００２７】
次に、本実施の形態に係る自動販売機の動作について図６を参照して説明する。図６は自動販売機の解錠動作を説明するフローチャートである。
【００２８】
制御部６０は、待機状態において回転検出スイッチ３５がＨＩＧＨ状態からＬＯＷ状態になったことを検出すると、キーシリンダ検出スイッチ３６がＬＯＷ状態であり、且つ、キーシリンダ検出履歴記憶部６１にシリンダ本体３１が取り外された事の履歴がない場合には（ステップＳ１，Ｓ２）、解錠制御（ソレノイド４３の通電）を行い（ステップＳ３）、さらに表示器２５の所定のメッセージ（例えば「ＯＰＥｎ」）を表示する（ステップＳ４）。
【００２９】
一方、待機状態において回転検出スイッチ３５がＨＩＧＨ状態からＬＯＷ状態になったことを検出したが、キーシリンダ検出スイッチ３６がＨＩＧＨ状態の場合には、シリンダ本体３１が取り外された状態なので解錠制御は行わない（ステップＳ１）。
【００３０】
また、待機状態において回転検出スイッチ３５がＨＩＧＨ状態からＬＯＷ状態になったことを検出し、さらにキーシリンダ検出スイッチ３６がＬＯＷ状態であっても、キーシリンダ検出履歴記憶部６１にシリンダ本体３１が取り外された事の履歴がある場合には（ステップＳ１，Ｓ２）、解錠制御は行わずに、表示器２５の所定のメッセージ（例えば「ＯＦＦ」）を表示する（ステップＳ５）。
【００３１】
他方、制御部６０は、待機状態においてキーシリンダ検出スイッチ３６がＨＩＧＨ状態からＬＯＷ状態になったことを検出すると、キーシリンダ検出履歴記憶部６１にシリンダ本体３１が取り外された事を記憶する（ステップＳ６）。
【００３２】
このような自動販売機１によれば、シリンダ本体３１が取り外された状態ではロック機構４０の解錠が実施されず、さらにシリンダ本体３１の付け替えが行われた場合にもロック機構４０の解錠が実施されないので防犯性能が向上したものとなる。特に、二重ロック機構等を採用していないので簡素な構造で且つ低コストで防犯性能の向上を図ることができる。また、ロック解除操作は正当な鍵の挿入・回転だけなので良好な操作性が得られる。さらに、ロック機構４０が解除した際やシリンダ本体３１の付け替え後の操作時には表示器２５の所定のメッセージが表示されるので、さらに良好な操作性が得られる。
【００３３】
なお、オペレータは、シリンダ本体３１の付け替え後では正当な鍵であってもロック機構４０の解錠を行うことができないが、この場合にはキーシリンダ検出履歴記憶部６１の履歴を消去することにより、以降通常の運用が可能となる。
【００３４】
以上本発明の実施の形態について詳述したが本発明はこれに限定されるものではない。例えば、上記実施の形態ではシリンダ本体３１の回転検出手段及びシリンダ本体３１の検出手段として機械接点式のスイッチを用いたが、光センサなど他の検出手段を用いてもよい。また、上記実施の形態では、電子制御式のロック機構４０として、スナッチロック４２及びソレノイド４３を用いたものを例示したが、制御部６０から制御可能であれば他のロック機構であってもよい。
【図面の簡単な説明】
【００３５】
【図１】自動販売機の正面図
【図２】自動販売機の側面図
【図３】キーシリンダーユニットの分解斜視図
【図４】ロック機構の構成図
【図５】制御系のブロック図
【図６】外扉の解錠動作を説明するフローチャート
【符号の説明】
【００３６】
１…自動販売機、１０…自動販売機本体、１１…係止片、２０…外扉、２５…表示器、２９…把手、３０…キーシリンダユニット、３１…シリンダ本体、３２…前部支持部材、３３…後部支持部材、３４…ケーシング、３５…回転検出スイッチ、３６…キーシリンダ検出スイッチ、４０…ロック機構、４１…ケーシング、４２…スナッチロック、４３…ソレノイド、４４…リンク、４５…スライド板、４６…コイルバネ、６０…制御部、６１…キーシリンダ検出履歴記憶部
【図１】
0004783089.tif 000002
【図２】
0004783089.tif 000003
【図３】
0004783089.tif 000004
【図４】
0004783089.tif 000005
【図５】
0004783089.tif 000006
【図６】
0004783089.tif 000007